(57)【要約】      （修正有）【課題】画像読取部の位置調整機構を持った画像形成装置において、調整機構により画像読取部が移動や姿勢の変化があっても、外装カバー間の隙間や段差が生じにくくする。【解決手段】調整板４１は、固定ネジ６３を緩めることで、フレーム４２に設けられた凸形状６２と調整板の穴形状のガイドにより、矢印６４の方向に可動となっている。そして、カバーのネジ固定位置は、調整板４１に設けられたネジ穴６１に固定される。これにより、カバーが調整板４１に追従して動くことになる。すなわち移動する調整板４１に固定されていることで、調整時にカバーも追従して動き、カバー合わせ部での段差や隙間が発生しにくくなり、またカバーを外さなくてもスキャナ部の着脱が可能になる。【選択図】図６
2010034958.tif 000002
【特許請求の範囲】
【請求項１】
画像読取部と、該画像読取部の位置調整機構を有する画像形成装置において、
前記調整機構の全体もしくは一部を覆う外装カバーを前記調整機構が備える移動する調整部材に固定し、
該移動する調整部材に前記カバーを追従可能としてなる
ことを特徴とする画像形成装置。
【請求項２】
請求項１の画像形成装置において、
前記調整部材に設ける前記外装カバーを固定するための止め穴を長穴とし、
該長穴の上下部位を前記外装カバーの固定位置の位置決め部位とし、
前記調整部材の調整時の移動方向が斜め方向でも対応可能としてなる
ことを特徴とする画像形成装置。
【請求項３】
請求項２の画像形成装置において、
前記外装カバーの前記長穴への装着を、前記外装カバーが備えるボス部材の嵌着位置決めによる
ことを特徴とする画像形成装置。
【請求項４】
請求項３の画像形成装置において、
前記長穴を、前記調整部材に代えて前記調整機構の調整板に設け、
該長穴の上下部位を前記外装カバーの固定位置の位置決め部位とし、
前記調整部材の調整時の移動方向が斜め方向でも対応可能としてなる
ことを特徴とする画像形成装置。
【請求項５】
請求項１から４のいずれかの画像形成装置において、
前記カバーは、前記調整機構による調整時に作業する部位を露出させるキャップ等の開放手段を有する
ことを特徴とする画像形成装置。
【請求項６】
請求項１から５のいずれかの画像形成装置において、
前記カバーの前記調整機構に対する装着、固定に、段ネジを用いてなる
ことを特徴とする画像形成装置。
【請求項７】
請求項１から６のいずれかの画像形成装置において、
前記外装カバーと隣接する他のカバーをスキャナに固定してなる
ことを特徴とする画像形成装置。
【請求項８】
請求項７の画像形成装置において、
前記外装カバーの前記調整部材に固定されていない側の固定位置は、
前記スキャナを支持するフレームの片持ち部の起点よりも根元側、もしくは、前記スキャナが構造体に着地もしくは固定されている部位を挟んで反対側としてなる
ことを特徴とする画像形成装置。
【発明の詳細な説明】
【技術分野】
【０００１】
本発明は、画像読取部を有し、その画像読取部の位置調整機構を持つ画像形成装置に関する。
【背景技術】
【０００２】
画像読取部を持つ画像形成装置においては、オプション構成による画像読取部の移動や、画像読取部の位置調整機構を備えるものが存在している。このような構成を有する画像形成装置では、それら装置自体の形状変更対して、いかに外観に違和感を持たせずに外装カバーによって対応するかが課題とされている。
【０００３】
前記課題を解決するための従来技術としては特許文献１に開示されているものを挙げ得る。この特許文献１に開示されている発明では、オプションの組み合わせによる形状変更にはカバーつなぎ部のカットで対応し、カバーの追加も考えらており、これが一般的に採用されている。
【０００４】
【特許文献１】特開平１０−１３６１３３号公報
【発明の開示】
【発明が解決しようとする課題】
【０００５】
しかしながら、オプション構成による大きな移動であれば前記部品のカットや追加で対応できるが、昨今の高画質対応による画像読取部の調整機構はその調整量は、数ｍｍもしくは１ｍｍ以下であるため、カバーのカットや追加では対応が困難である。できたとしても部品が増えてコストアップとなってしまう。
【０００６】
また些細な事であるがゆえに問題として放置されがちであり、その結果としてカバー間の隙間や段差が発生し、外観品質を低下させてしまっている。
【０００７】
なお、ユーザの目に触れる外装の段差は例えば１ｍｍ以下を目標とするなどして設計が行われている。
【０００８】
そこで本発明は、画像読取部の位置調整機構を持った画像形成装置において、調整機構により画像読取部が移動や姿勢の変化があっても、外装カバー間の隙間や段差が生じにくくすることを目的とする。
【０００９】
なお以下に説明する画像読取部を有し、その画像読取部の位置調整機構を持つ画像形成装置は、後述する実施例では、画像読取部の片持ち構造であるが、本発明は、片持ち構造を持つ画像形成装置には限定されない。
【課題を解決するための手段】
【００１０】
本発明の画像形成装置のうち請求項１に係るものは、画像読取部と、該画像読取部の位置調整機構を有する画像形成装置において、
前記調整機構の全体もしくは一部を覆う外装カバーを前記調整機構が備える移動する調整部材に固定し、
該移動する調整部材に前記カバーを追従可能としてなる
ことを特徴とする。
【００１１】
請求項２に係るものは、請求項１の画像形成装置において、前記調整部材に設ける前記外装カバーを固定するための止め穴を長穴とし、該長穴の上下部位を前記外装カバーの固定位置の位置決め部位とし、前記調整部材の調整時の移動方向が斜め方向でも対応可能としてなることを特徴とする。
【００１２】
請求項３に係るものは、請求項２の画像形成装置において、前記外装カバーの前記長穴への装着を、前記外装カバーが備えるボス部材の嵌着位置決めによることを特徴とする。
【００１３】
請求項４に係るものは、請求項３の画像形成装置において、前記長穴を、前記調整部材に代えて前記調整機構の調整板に設け、該長穴の上下部位を前記外装カバーの固定位置の位置決め部位とし、前記調整部材の調整時の移動方向が斜め方向でも対応可能としてなることを特徴とする。
【００１４】
請求項５に係るものは、請求項１から４のいずれかの画像形成装置において、前記カバーは、前記調整機構による調整時に作業する部位を露出させるキャップ等の開放手段を有することを特徴とする。
【００１５】
請求項６に係るものは、請求項１から５のいずれかの画像形成装置において、前記カバーの前記調整機構に対する装着、固定に、段ネジを用いてなることを特徴とする。
【００１６】
請求項７に係るものは、請求項１から６のいずれかの画像形成装置において、前記外装カバーと隣接する他のカバーをスキャナに固定してなることを特徴とする。
【００１７】
請求項８に係るものは、請求項７の画像形成装置において、前記外装カバーの前記調整部材に固定されていない側の固定位置は、前記スキャナを支持するフレームの片持ち部の起点よりも根元側、もしくは、前記スキャナが構造体に着地もしくは固定されている部位を挟んで反対側としてなることを特徴とする。
【発明の効果】
【００１８】
本発明によれば、移動する調整部材に固定されていることで、調整時にカバーも追従して動き、カバー合わせ部での段差や隙間が発生しにくくなり、またカバーを外さなくてもスキャナの着脱が可能になる。
【発明を実施するための最良の形態】
【００１９】
以下本発明を実施するための最良の形態を、図に示す実施例を参照して説明する。なお以下に説明する実施例では複写機を例にとって説明するが、本発明は複写機としての実施には限定されず、画像形成を行う種々の装置に適用可能である。
【実施例１】
【００２０】
図１は、本発明の実施対象とする画像形成装置の一例の模式図であり、図中１１は画像形成部（以下、プロッタ部）、１２は画像読取部（以下、スキャナ部）１３は操作部である。プロッタ部１１とスキャナ１２部の間には排紙用の空間が設けられ、スキャナ部１２の一部は中空に浮いている。
【００２１】
図２は、図１の画像形成装置の詳細を若干拡大して示す斜視図である。図中２１は、スキャナ部１２への操作部１３の取り付け部位、２２はスキャナを支持するフレームの片持ち部の起点部位である。
【００２２】
また図３は、図２の画像形成装置のスキャナ部を拡大した図である。図中３１はカバー、３２はカバー３１のネジ固定位置、３３は、着脱可能なキャップ、３４はカバー３１の固定位置調整板、３５は後述するスキャナ支持フレーム４２の片持ち部の起点部位、３６は、カバー３１への操作部１３の固定位置である。
【００２３】
図４は、図３から、カバーと操作部を除いた状態の斜視図である。４１は調整板、４２はフレーム、４３はネジ穴である。カバー３１は、後述するように、調整板４１に設けられたネジ穴６１に固定され、調整板４１に追従して動く。調整板４１は、スキャナ支持フレーム４２に対して可動な構成となっている。
【００２４】
図５は、図４を反対側から見た斜視図である。スキャナ部１２は調整板４１に着座しており、調整板４１の動きにより位置調整が行われるようになっていることを示してある。
【００２５】
図６は、図４のスキャナ支持部を拡大した斜視図、図７はスキャナ支持部を真横から見た側面図である。調整部材４１は、固定ネジ６３を緩めることで、フレーム４２に設けられた凸形状６２と調整部材の穴形状のガイドにより、図中の矢印６４の方向に可動となっている。そして、カバー３１のネジ固定位置３２は、調整板４１に設けられたネジ穴６１に固定される。これにより、上述のように、カバー３１が調整板４１に追従して動くことになる。
【００２６】
カバー３１は、自身に設けられたボス（図示を省略してある）を図６中に示す調整板４１に設けられた穴６５に嵌めて上下方向に位置決めされるようになっている。すなわち、図７から良くわかるように、調整板４１に設けられた穴６５は横長穴であり、したがってボスの上下位置を決め得る。なお、この構造により、調整時の移動が斜め方向でも対応でき、カバー３１の隙間に変動が無い。またネジ締結による軸方向の圧力が無いため、調整板４１の移動に負荷とならないし、カバー３１の捩れが発生しない。
【００２７】
またカバー３１のキャップ３３は着脱可能で、キャップ３３を外すと、調整板４１を調整する時に緩めることになる固定ネジ６３（図６）にアクセスが可能になる（図３と図６の位置関係を参照されたい）。カバーを外さなくても調整できる点も好ましい利点となる。
【００２８】
なお調整部材４１と追従して可動なカバー３１と隣接する操作部１３およびそのカバーの固定（図３中に符号３６で示す）は、図４に示したスキャナ部１２に設けたネジ穴４３に対してネジ止めすることで行われる。調整機構と同様に動くスキャナ部１２に固定するため、相対位置が維持されて、カバー３１の隙間が大きくならない。
【００２９】
また図３中に示すカバー３１の固定位置３４は、スキャナ支持フレーム４２の片持ち部の起点（図中符号３５で示す）よりも根元側である。カバー３１の固定位置３４の間隔を大きくでき、調整による移動がカバー３１の姿勢に大きく影響を及ぼさないようにすることができるようになるので外観を損なわないで済む。また根元側の固定点３４を中心にカバー３１の姿勢が変わるので、根元側のカバー合わせ部（図２中に符号２２で示した部位）で段差や隙間が発生しない。
【００３０】
なおカバー３１の固定に段ネジを用いれば、調整時の移動に負荷とならないだけでなく、カバー３１に捩れが発生しない。
【図面の簡単な説明】
【００３１】
【図１】本発明の実施対象とする画像形成装置の一例の模式図
【図２】図１の画像形成装置の詳細を若干拡大して示す斜視図
【図３】図２の画像形成装置のスキャナ部を拡大した図
【図４】図３から、カバーと操作部を除いた状態の斜視図
【図５】図４を反対側から見た斜視図
【図６】図４のスキャナ支持部を拡大した斜視図
【図７】スキャナ支持部を真横から見た側面図
【符号の説明】
【００３２】
１１：画像形成部（プロッタ部）
１２：画像読取部（スキャナ部）
１３：操作部
２１：スキャナ部への操作部の取り付け部位
２２：スキャナを支持するフレームの片持ち部の起点部位
３１：カバー
３２：カバーのネジ固定位置
３３：キャップ
３４：カバーの固定位置調整板
３５：スキャナ支持フレームの片持ち部の起点部位
３６：カバーへの操作部の固定位置
４１：調整板
４２：フレーム
４３：ネジ穴
６１：ネジ穴
６２：凸形状
６３：固定ネジ
６５：穴（横長穴）
【図１】
2010034958.tif 000003
【図２】
2010034958.tif 000004
【図３】
2010034958.tif 000005
【図４】
2010034958.tif 000006
【図５】
2010034958.tif 000007
【図６】
2010034958.tif 000008
【図７】
2010034958.tif 000009